【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
リモートコピーの指示に応じて、外部の画像出力装置に出力データを送信する画像処理装置であって、
入力データから、解像度に依存しない解像度非依存データを生成する解像度非依存データ生成手段と、
前記解像度非依存データ生成手段によって生成された前記解像度非依存データから、解像度に依存しビットマップデータに描画展開するために用いられる解像度依存データを生成する解像度依存データ生成手段と、
前記解像度非依存データ生成手段によって生成された前記解像度非依存データと、前記解像度依存データ生成手段によって生成された前記解像度依存データとを保存する保存手段と、
前記画像出力装置に関連付けられた画像出力装置情報を取得する装置情報取得手段と、
前記画像出力装置情報が、前記画像処理装置に関連付けられた画像処理装置情報と一致しているか否かを判定する装置情報判定手段と、
前記装置情報判定手段によって、前記画像出力装置情報が前記画像処理装置情報と一致していると判定された場合に、前記解像度依存データを前記出力データとして送信するデータ送信手段と、
を備えることを特徴とする画像処理装置。
【請求項２】
前記データ送信手段は、前記装置情報判定手段によって、前記画像出力装置情報が前記画像処理装置情報と一致しないと判定された場合に、前記解像度非依存データを前記出力データとして送信することを特徴とする請求項１記載の画像処理装置。
【請求項３】
前記画像出力装置情報、及び、前記画像処理装置情報がそれぞれ、前記画像出力装置、及び、前記画像処理装置の出力解像度を示す情報を含むことを特徴とする請求項１又は２記載の画像処理装置。
【請求項４】
前記画像出力装置情報、及び、前記画像処理装置情報がそれぞれ、前記画像出力装置、及び、前記画像処理装置が有するラスタライザを示す情報を含むことを特徴とする請求項１又は２記載の画像処理装置。
【請求項５】
前記画像出力装置情報、及び、前記画像処理装置情報がそれぞれ、前記画像出力装置、及び、前記画像処理装置の出力解像度を示す情報と、前記画像出力装置、及び、前記画像処理装置が有するラスタライザを示す情報とを含み、前記装置情報判定手段によって、ラスタライザが互いに一致していると判定された場合に、前記出力解像度を示す情報が互いに一致するか否かを判定し、更に、前記出力解像度を示す情報が互いに一致しないと判定された場合に、
ユーザの操作によって、リモートコピーにおける速度を優先するように指示されていれば、前記データ送信手段は、前記解像度依存データを送信し、
ユーザの操作によって、リモートコピーにおける画質を優先するように指示されていれば、前記データ送信手段は、前記解像度非依存データを送信することを特徴とする請求項１記載の画像処理装置。
【請求項６】
前記入力データから、前記入力データに付加情報として付加され前記入力データを検索するために用いられる付加情報データを生成する付加情報データ生成手段と、
前記付加情報データを用いて、前記入力データの検索を行う検索手段とを、更に有し、
前記保存手段が、前記入力データに関する前記解像度非依存データと前記解像度依存データと前記付加情報データとを関連付けて保存する、
ことを特徴とする請求項１記載の画像処理装置。
【請求項７】
ユーザの操作によって、前記出力データを前記画像出力装置における記憶領域に保存するように指示された場合に、前記データ送信手段は、前記解像度非依存データと前記付加情報データとを前記出力データとして送信し、
一方、ユーザの操作によって、前記出力データを前記画像出力装置における記憶領域に保存しないように指示された場合に、前記装置情報判定手段において、前記画像出力装置情報が前記画像処理装置に関連付けられた画像処理装置情報と一致しているか否かを判定し、前記装置情報判定手段によって、前記画像出力装置情報が前記画像処理装置情報と一致していると判定された場合に、前記データ送信手段は、前記解像度依存データを前記出力データとして送信する、
ことを特徴とする請求項６記載の画像処理装置。
【請求項８】
リモートコピーの指示に応じて、外部の画像出力装置に出力データを送信する画像処理方法であって、
解像度非依存データ生成手段が、入力データから、解像度に依存しない解像度非依存データを生成する解像度非依存データ生成工程と、
解像度依存データ生成手段が、前記解像度非依存データ生成工程によって生成された前記解像度非依存データから、解像度に依存しビットマップデータに描画展開するために用いられる解像度依存データを生成する解像度依存データ生成工程と、
保存手段が、前記解像度非依存データ生成工程によって生成された前記解像度非依存データと、前記解像度依存データ生成工程によって生成された前記解像度依存データとを保存する保存工程と、
装置情報取得手段が、前記画像出力装置に関連付けられた画像出力装置情報を取得する装置情報取得工程と、
装置情報判定手段が、前記画像出力装置情報が画像処理装置に関連付けられた画像処理装置情報と一致しているか否かを判定する装置情報判定工程と、
データ送信手段が、前記装置情報判定工程によって、前記画像出力装置情報が前記画像処理装置情報と一致していると判定された場合に、前記解像度依存データを前記出力データとして送信するデータ送信工程と、
を備えることを特徴とする画像処理方法。
【請求項９】
リモートコピーの指示に応じて、外部の画像出力装置に出力データを送信する画像処理プログラムであって、
入力データから、解像度に依存しない解像度非依存データを生成する解像度非依存データ生成手段と、
前記解像度非依存データ生成手段によって生成された前記解像度非依存データから、解像度に依存しビットマップデータに描画展開するために用いられる解像度依存データを生成する解像度依存データ生成手段と、
前記解像度非依存データ生成手段によって生成された前記解像度非依存データと、前記解像度依存データ生成手段によって生成された前記解像度依存データとを保存する保存手段と、
前記画像出力装置に関連付けられた画像出力装置情報を取得する装置情報取得手段と、
前記画像出力装置情報が、画像処理装置に関連付けられた画像処理装置情報と一致しているか否かを判定する装置情報判定手段と、
前記装置情報判定手段によって、前記画像出力装置情報が前記画像処理装置情報と一致していると判定された場合に、前記解像度依存データを前記出力データとして送信するデータ送信手段と、
してコンピュータを機能させるための画像処理プログラム。
【請求項１０】
リモートコピーの指示に応じて、外部の画像出力装置に出力データを送信する画像処理装置であって、
入力データから、解像度に依存しない解像度非依存データを生成する解像度非依存データ生成手段と、
前記入力データから、前記入力データに付加情報として付加され前記入力データを検索するために用いられる付加情報データを生成する付加情報データ生成手段と、
前記解像度非依存データ生成手段によって生成された前記解像度非依存データから、ビットマップデータに描画展開するために用いられ解像度に依存する解像度依存データを生成する解像度依存データ生成手段と、
前記解像度非依存データ生成手段によって生成された前記解像度非依存データと、前記付加情報データ生成手段によって生成された前記付加情報データと、前記解像度依存データ生成手段によって生成された前記解像度依存データとを保存する保存手段と、
ユーザの操作によって、前記出力データを前記画像出力装置における記憶領域に保存するように指示された場合に、
前記解像度非依存データと前記付加情報データとを前記出力データとして送信するデータ送信手段と、
を備えることを特徴とする画像処理装置。